(57)【要約】【課題】可動装飾体を変位させる第一の駆動機構と、第一の駆動機構を変位させる第二の駆動機構とを備える構成において、可動装飾体が第一の駆動機構の駆動によって変位しない状態で第二の駆動機構による変位が行われることを防止できる遊技機を提供する。【解決手段】可動装飾体７０と第一の駆動機構と第二の駆動機構とを備え、第一の駆動機構と第二の駆動機構との協働で可動装飾体７０を待機位置と作動位置の間で変位させる遊技機において、第一の駆動機構が有する回動体６５が始動位置から回動することで可動装飾体７０を待機位置側から作動位置側に向けて変位させるように構成され、回動体６５に設けられる突起部６５ａの移動経路上には突起部６５ａと当接可能に当接部８２が設けられ、当接部８２は装飾モータ６３からの動力に基づいて回動体６５が回動しない場合に突起部６５ａに当接して回動体６５を回動させる。【選択図】図６
2015221184.tif 000002
【特許請求の範囲】
【請求項１】
可動装飾体と、前記可動装飾体を変位させる第一の駆動機構と、前記第一の駆動機構を変位させる第二の駆動機構とを備え、前記第一の駆動機構と前記第二の駆動機構との協働で前記可動装飾体を待機位置と作動位置の間で変位させる遊技機において、
前記第一の駆動機構は、駆動源によって駆動される回動体を有し、前記回動体が始動位置から回動することで前記可動装飾体を前記待機位置側から前記作動位置側に向けて変位させるように構成され、
前記回動体には突起部が設けられ、
前記第二の駆動機構により前記第一の駆動機構が変位して前記可動装飾体が前記待機位置側から前記作動位置側に向けて変位する際に、前記回動体が前記始動位置に維持されたと仮定した場合の前記突起部の移動経路上には、前記突起部と当接可能に作用体が設けられ、
前記作用体は、前記駆動源からの動力に基づいて前記回動体が前記始動位置から回動しない場合に前記突起部に当接して前記回動体を前記待機位置側から前記作動位置側に向けて回動させることを特徴とする遊技機。
【発明の詳細な説明】
【技術分野】
【０００１】
本発明は、可動装飾体を備えた遊技機に関する。
【背景技術】
【０００２】
従来、可動装飾体を変位させる第一の駆動機構と、第一の駆動機構を変位させる第二の駆動機構とを備え、第一の駆動機構と第二の駆動機構との協働で可動装飾体を待機位置と作動位置の間で変位させて可動演出を行う遊技機がある（例えば、特許文献１を参照）。特許文献１においては、第一の駆動機構として可動装飾体を回動させる回動機構が、第二の駆動機構として回動機構を直進させるスライド機構が採用されている。
【先行技術文献】
【特許文献】
【０００３】
【特許文献１】特開２０１３−６３２１２号公報
【発明の概要】
【発明が解決しようとする課題】
【０００４】
上記の遊技機において、例えば、第一の駆動機構を駆動させるためのセンサやモータの異常により、可動装飾体が第一の駆動機構で変位すべき場合に変位せず、その状態で第二の駆動機構による変位が行われることによって不都合が生じる場合があった。
【０００５】
例えば、可動装飾体が第一の駆動機構によって変位することを前提として、第二の駆動機構の駆動による可動装飾体の進行方向に他の遊技部品を設けた場合に、上記の如く可動装飾体が第一の駆動機構による変位をせずに第二の駆動機構による変位が行われると、可動装飾体と他の遊技部品とが干渉するおそれがあった。また、かかる干渉が生じない構成であっても、可動装飾体が第一の駆動機構により変位されるべき場合に変位しないと、予定する動きにならないことから、可動演出上の見栄えが悪くなるおそれがある。
【０００６】
本発明は、上記のような問題点に鑑みてなされたものであり、可動装飾体を変位させる第一の駆動機構と、第一の駆動機構を変位させる第二の駆動機構とを備える構成において、可動装飾体が第一の駆動機構の駆動によって変位しない状態で第二の駆動機構による変位が行われることを防止できる、遊技機を提供するものである。
【課題を解決するための手段】
【０００７】
本発明の解決しようとする課題は以上の如くであり、次にこの課題を解決するための手段を説明する。
【０００８】
即ち、請求項１においては、可動装飾体と、前記可動装飾体を変位させる第一の駆動機構と、前記第一の駆動機構を変位させる第二の駆動機構とを備え、前記第一の駆動機構と前記第二の駆動機構との協働で前記可動装飾体を待機位置と作動位置の間で変位させる遊技機において、前記第一の駆動機構は、駆動源によって駆動される回動体を有し、前記回動体が始動位置から回動することで前記可動装飾体を前記待機位置側から前記作動位置側に向けて変位させるように構成され、前記回動体には突起部が設けられ、前記第二の駆動機構により前記第一の駆動機構が変位して前記可動装飾体が前記待機位置側から前記作動位置側に向けて変位する際に、前記回動体が前記始動位置に維持されたと仮定した場合の前記突起部の移動経路上には、前記突起部と当接可能に作用体が設けられ、前記作用体は、前記駆動源からの動力に基づいて前記回動体が前記始動位置から回動しない場合に前記突起部に当接して前記回動体を前記待機位置側から前記作動位置側に向けて回動させるものである。
【発明の効果】
【０００９】
本発明により、可動装飾体を変位させる第一の駆動機構と、第一の駆動機構を変位させる第二の駆動機構とを備える構成において、可動装飾体が第一の駆動機構の駆動によって変位しない状態で第二の駆動機構による変位が行われることを防止できる。
【図面の簡単な説明】
【００１０】
【図１】本発明の一実施形態に係る遊技機の全体的な構成を示した正面図。
【図２】同じく、遊技機の窓枠が開放された状態の構成を示した正面斜視図。
【図３】遊技板が配設された状態の遊技機の構成を示した正面図。
【図４】可動装飾装置の駆動時における遊技機を示した正面図。
【図５】遊技板を示した正面図。
【図６】可動装飾装置の構成を示した斜視図。
【図７】（ａ）及び（ｂ）は可動装飾装置の構成を示した正面図、（ｃ）は同じく背面図。
【図８】（ａ）から（ｃ）はそれぞれ移動部材の構成を示した正面図。
【図９】（ａ）から（ｃ）はそれぞれベース部材の構成を示した背面図。
【図１０】（ａ）から（ｃ）はそれぞれ可動装飾装置の駆動状態を示した正面図。
【図１１】ベース部材を示した斜視図。
【図１２】（ａ）及び（ｂ）は突起部が当接部に当接している状態における可動装飾装置を示した正面図及び背面図。
【図１３】（ａ）及び（ｂ）は突起部が当接部に当接した後の可動装飾装置を示した正面図及び背面図。
【図１４】突起部及び当接部を配設しない可動装飾装置を示した正面図。
【発明を実施するための形態】
【００１１】
まず、本発明に係る遊技機の一実施形態の全体的な構成について、図１及び図２を用いて説明する。
なお、以下の説明では、遊技機を遊技者側から見て、手前側を遊技機の前側とし、奥側を遊技機の後側として、前後方向を規定する。また、遊技機を遊技者側から見て、左手側を遊技機の左側とし、右手側を遊技機の右側として、左右方向を規定する。
【００１２】
遊技機は、図１及び図２が示すように、主として、外枠２と、中枠３と、窓枠４と、により構成される枠体に、各種の遊技部品が取り付けられて形成されたパチンコ遊技機である。
【００１３】
外枠２は、遊技機の外郭を成し、前後面が開口された略四角筒状に形成される枠体である。外枠２は、パチンコホール等の遊技場に設けられた台島に設置される。外枠２には、中枠３が設けられる。
【００１４】
中枠３は、前後面が開口された略四角筒状に形成される枠体である。中枠３は、外枠２の前側の開口部にヒンジ等の軸支部材を介して回動可能に支持される。中枠３には、遊技板５と、窓枠４と、下皿ユニット６と、が設けられる。
【００１５】
遊技板５は、透明に形成されて透光性を有する平板状部材である（図５を参照）。遊技板５は、中枠３の下側を除く略全面に渡って、中枠３に着脱自在に取り付けられる。遊技板５の前側の表面におけるセンター役物３３の周囲には、遊技球が転動する領域である遊技領域１９が形成される（図３を参照）。また、遊技領域１９の部分には、遊技球を不規則に転動させるために図示しない多数の遊技釘が遊技板５に打ち込まれている。
【００１６】
窓枠４は、略平板状に形成される枠体である。窓枠４は、遊技板５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技板５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００１７】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技板５の遊技領域１９へ向けて発射可能に構成される発射ハンドル２６が配設される。
【００１８】
次に、遊技板５の構成について、図３から図５を用いてさらに詳細に説明する。
【００１９】
遊技板５には、遊技部品としてガイドレール１０、普通入賞口１３、大入賞装置１４、可変入賞装置１５、アウト口１６、センター役物３３、遊技板５の背後で遊技球を各入賞装置から案内する通路などが設けられている。遊技板５の後方には開口部を有する装飾板３６が配設される。また、装飾板３６のさらに後方に可動装飾装置４０及び図柄表示装置１１が配設され、装飾板３６の開口部から遊技者が可動装飾装置４０及び図柄表示装置１１を視認可能とされている。即ち、図３及び図４に示す如く、透明に形成された遊技板５を通して遊技者が装飾板３６、可動装飾装置４０、及び図柄表示装置１１を視認できるように構成されている。図３及び図４では説明の便宜上、遊技板５を介して視認できる構成については細線を用いて表示している。
【００２０】
ガイドレール１０は、略円弧状に形成された帯状の部材である。ガイドレール１０は、遊技板５の前側面に、当該前側面に対して立ち上がり状に取り付けられる。ガイドレール１０は、遊技板５の前側面に正面視で略円形状を形成するように配置される。そして、遊技板５において、ガイドレール１０により略円形状に形成された内側の領域が、遊技球が転動する領域である遊技領域１９として構成される。
【００２１】
図柄表示装置１１は、液晶画面２０を設けて、当該液晶画面２０に図柄や数字等を変動表示可能に構成される装置である。図柄表示装置１１は、液晶画面２０を前方へ向けた状態で遊技板５の後方に配設される。
【００２２】
前記の如く、前後方向における遊技板５と図柄表示装置１１との間には装飾板３６が配設され、前後方向における装飾板３６と図柄表示装置１１との間には可動装飾装置４０が配設される。可動装飾装置４０は図３に示す如く、通常状態においては装飾体７２を備える可動装飾体７０が図柄表示装置１１の下方に位置するように配置される。この際、可動装飾装置４０は、装飾体７２を遊技者が図柄表示装置１１の下方で視認できる状態に配置する。そして、可動装飾装置４０が駆動する際には、可動装飾体７０は装飾体７２が図４中の矢印Ａに示す如く円弧状の軌道を描きながら図柄表示装置１１の前方に延出されるように移動する。本実施形態において装飾体７２は野球のボールを模して形成されているが、装飾体７２の形状等は本実施形態に限定されるものではない。
【００２３】
普通入賞口１３は、遊技板５において上面が開口されたポケット状に形成され、遊技球が遊技板５に形成された入球口を介して入球（入賞）可能に形成される部材である。普通入賞口１３は、遊技板５の下部であって適宜な位置に複数個が配置される。普通入賞口１３は、遊技球が入球すると図示せぬ賞球払出装置によって所定数の遊技球（賞球）が払い出されるように構成される。
【００２４】
大入賞装置１４（特別電動役物）は遊技板５に配置され、所定の大当たり抽選により大当たりが選択されると、大入賞口（特別可変入賞口）２１を開放して遊技球が入球（入賞）可能に構成される装置である。大入賞口２１は、大入賞装置１４により、遊技球が入球可能な開放状態と遊技球が入球不能な閉鎖状態とに切り換えられる。大入賞装置１４は、遊技板５の右側下部に配置される。大入賞装置１４は、開放した大入賞口２１に遊技球が入球すると図示せぬ賞球払出装置によって所定数の遊技球（賞球）が払い出されるように構成される。
【００２５】
可変入賞装置１５（普通電動役物）は、遊技板５の中央下部に配置される。可変入賞装置１５には、第二始動口２８が設けられる。第二始動口２８は、上面が開口されたポケット状に形成され、その内部に遊技球が入球（入賞）可能に構成される。可変入賞装置１５には、前後方向に進退可能に構成された板状の可動片２２が配設される。そして、可動片２２が後方（遊技者と反対側）に退避している場合、遊技領域１９内を転動する遊技球は第二始動口２８に入賞することができない（閉塞状態）。一方、可動片２２が前方（遊技者側）に進出している場合、遊技領域１９内を転動する遊技球は当該可動片２２に誘導されて第二始動口２８に入賞することができる（開放状態）。また、遊技板５における第二始動口２８の上側には、ポケット状に第一始動口２９が設けられており、この第一始動口２９にも遊技球が入賞することが可能となっている。
【００２６】
アウト口１６は、遊技領域１９を転動する遊技球が、普通入賞口１３や大入賞口２１や始動入賞口２３等の各入賞口に入球（入賞）しなかった場合に、最終的に流入する開口部である。アウト口１６は、遊技領域１９の最下部に、遊技板５を前後方向に貫通して形成される。なお、アウト口１６に流入した遊技球は、遊技機が設置されたパチンコホール等の遊技場側に回収される。
【００２７】
センター役物３３は遊技板５の表面から前方に突出する枠状の部材であり、このセンター役物３３の周囲が遊技領域１９として形成される。センター役物３３の下部は皿状のステージ３４として形成されており、ステージ３４の前方にはステージ３４から遊技球を落下させる落下穴３５が形成されている。落下穴３５は第一始動口２９の上方に位置するように形成されている。
【００２８】
次に、本実施形態に係る遊技機に備えられる可動装飾装置４０について、図６から図１４を用いてさらに詳細に説明する。
図６及び図７（ａ）から（ｃ）に示す如く、可動装飾装置４０は、ベース部材５１と、ベース部材５１において左右方向に移動可能に配設されるスライダ６１と、スライダ６１において軸心方向を前後方向に向けた回動軸を中心に回動可能に配設される回動体６５と、回動体６５の回動によりスライダ６１において第一の原位置（横に倒れている状態、図１０（ａ）を参照）から第一の移動位置（縦に起き上がった状態、図１０（ｃ）を参照）に移動可能に配設される可動装飾体７０とを備える。以下、順に説明する。
【００２９】
ベース部材５１は、図６及び図１１に示す如く前後方向に厚さを有する平板状の部材である。ベース部材５１には左右に長手方向を有するスライダ孔５２ａ・５２ｂが上下に並んで平行に、ベース部材５１を前後方向に貫通して開口されている。ベース部材５１の右下部にはスライダモータ５３が配設されている。スライダモータ５３は、ＣＰＵ、ＲＯＭ、ＲＡＭ等を備える図示しない制御手段により制御される。また、ベース部材５１の左上部には支持部８１が上方に延出され、支持部８１からは作用体である当接部８２が前方に突出して形成される。
【００３０】
スライダ６１は前後方向に厚さを有する平板状の部材であり、ベース部材５１に開口されたスライダ孔５２ａ・５２ｂに沿って左右に移動可能に配設される。具体的には図６（ａ）から（ｃ）に示す如く、スライダ６１の背後には板状のラック部６２が配設され、スライダ６１とラック部６２とでベース部材５１を挟むように構成される。そして、スライダ孔５２ａ・５２ｂにはスライダ６１とラック部６２とを連結する図示しない連結部材が挿通される。これにより、スライダ６１とラック部６２とはベース部材５１のスライダ孔５２ａ・５２ｂに沿って左右に移動可能とされる。
【００３１】
図７（ａ）及び（ｂ）に示す如く、スライダ６１の略中央下部には後述する回動体６５の駆動源である装飾モータ６３が配設されている。装飾モータ６３はスライダモータ５３と同様に制御手段により制御される。装飾モータ６３の出力軸には図示しないギヤが配設されている。装飾モータ６３と隣接する位置には第一のギヤ６４が配設され、装飾モータ６３のギヤと歯合されている。第一のギヤ６４と隣接する位置には回動体６５が、軸心方向を前後方向に向けた回動軸を中心に回動可能に配設される。回動体６５の後方には図示しないギヤが配設されており、このギヤは第一のギヤ６４と歯合される。回動体６５の外周端部には突起部６５ａが半径方向外側に突出して設けられる。回動体６５の中心を挟んで突起部６５ａと反対側の外周端部には、前方に突出する突出軸６５ｂが形成される。
【００３２】
回動体６５と隣接する位置には略扇形状の搖動部材６６が回動軸６６ａを中心に回動可能に配設される。搖動部材６６の外周部における一方の端部には、外側に突出する第一の被検出部６６ｂが形成されており、搖動部材６６の初期位置を検出部６７により検出可能とされている（図８（ａ）を参照）。本実施形態においては、検出部としてフォトインタラプタが用いられ、検出部は制御手段と接続されている（以下の検出部においても同様）。
【００３３】
また、搖動部材６６の後面には後方に突出する突出軸６６ｃが形成される。突出軸６６ｃは、搖動部材６６が搖動する際に突出軸６６ｃの動く軌跡に沿ってスライダ６１に形成された円弧状の孔６１ａに挿入されている。また、搖動部材６６の外周部における他方の端部には、外側に突出する第二の被検出部６６ｄが形成されており、搖動部材６６が所定の位置まで回動した際に検出部６７によりその位置を検出可能とされている（図８（ｃ）を参照）。また、搖動部材６６には、その半径方向に長手方向を有する係合孔６６ｅが搖動部材６６を前後方向に貫通して形成される。係合孔６６ｅには回動体６５の突出軸６５ｂが係合される。搖動部材６６には可動装飾体７０が固定される。具体的には搖動部材６６に棒状の支持部７１が固定され、支持部７１の先端に装飾体７２が配設される。可動装飾体７０の基端部には、可動装飾体７０を回動方向（正面視で反時計回り方向）に付勢する図示しない弾性部材（例えばトーションばね等）が設けられている。
【００３４】
上記の如く構成することにより、可動装飾体７０は初期状態である第一の原位置（図１０（ａ）を参照）から第一の移動位置（図１０（ｃ）を参照）に回転移動可能とされる。具体的には、装飾モータ６３が駆動することにより、第一のギヤ６４が図８（ａ）中の矢印ａに示す方向に回動する。これにより回動体６５が図８（ａ）中の矢印ｂに示す方向に回動する。これにより、突出軸６５ｂが係合孔６６ｅと係合して、搖動部材６６が図８（ａ）中の矢印ｃに示す方向に回動する。これにより、搖動部材６６に固定されている可動装飾体７０（支持部７１）は図８（ａ）に示す第一の原位置から図８（ｂ）を経て図８（ｃ）に示す第一の移動位置に、搖動部材６６の回動軸６６ａを中心として回転移動するのである。このように遊技機は、可動装飾体７０を第一の原位置から第一の移動位置に向けて変位させる第一の駆動機構を備える。第一の駆動機構は上記の如く、スライダ６１、装飾モータ６３、第一のギヤ６４、回動体６５、及び、搖動部材６６で構成される。
【００３５】
ここで、図８（ａ）に示す如く、回動体６５は可動装飾体７０が第一の原位置に位置する際には突起部６５ａがスライダ６１から突出する位置に回動する。可動装飾体７０が第一の原位置に位置する際の回動体６５の位置を「始動位置」と記載する。つまり、可動装飾体７０は回動体６５が始動位置から回動することで回転方向における第一の原位置から第一の移動位置に向けて変位される。また、図８（ｃ）に示す如く、回動体６５は可動装飾体７０が第一の移動位置に位置する際には突起部６５ａがスライダ６１の前方に退避する位置に回動する。
【００３６】
上記の如く、可動装飾体７０が第一の原位置又は第一の移動位置に位置することは、検出部６７が第一の被検出部６６ｂ又は第二の被検出部６６ｄを検知することにより検出可能とされている。また、装飾モータ６３の駆動方向を逆回転とすることにより、上記と逆に作用させることができる。即ち、装飾モータ６３が逆に駆動することにより、可動装飾体７０は第一の移動位置から第一の原位置に移動する。
【００３７】
図７（ｃ）に示す如く、ベース部材５１の後面において、スライダモータ５３と対向する位置には第二のギヤ５４が配設される。また、スライダモータ５３の出力軸５３ａはベース部材５１を貫通して配設され、第二のギヤ５４はスライダモータ５３の出力軸５３ａに固定される。第二のギヤ５４と隣接する位置には第三のギヤ５５が配設され、第二のギヤ５４と歯合されている。第三のギヤ５５と隣接する位置にはピニオンギヤ５６が配設され、第三のギヤ５５と歯合されている。ラック部６２の下部にはラックギヤ６２ａが形成されており、ラックギヤ６２ａとピニオンギヤ５６とは歯合されている。
【００３８】
上記の如く構成することにより、スライダ６１及びラック部６２はベース部材５１において左右方向に移動可能に配設される。具体的には、スライダモータ５３が駆動することにより、第二のギヤ５４、第三のギヤ５５、及びピニオンギヤ５６が図１０（ａ）中の矢印ｄから矢印ｆに示す方向に回動する。これにより、ラック部６２とスライダ６１とは図９（ａ）中の矢印ｇに示す如く、背面視で左側方（遊技機における右側方）に移動するのである。このように遊技機は、第一の駆動機構を、ベース部材５１の左側に配置される位置（以下、「第二の原位置」と記載する）からベース部材５１の右側に配置される位置（以下、「第二の移動位置」と記載する）に向けて変位させる第二の駆動機構を備える。第二の駆動機構は上記の如く、ベース部材５１、スライダモータ５３、第二のギヤ５４、第三のギヤ５５、ピニオンギヤ５６、及び、ラック部６２（ラックギヤ６２ａ）で構成される。また、スライダモータ５３の駆動方向を逆回転とすることにより、上記と逆に作用させることができる。即ち、スライダモータ５３が逆に駆動することにより、スライダ６１及びラック部６２は背面視で右側方（遊技機における左側方）に移動する。
【００３９】
図９（ａ）に示す如く、ラック部６２が背面視で最も右側（遊技機における左側）に位置する際の左側端部と、ラック部６２が背面視で最も左側（遊技機における右側）に位置する際の右側端部には、ラック部６２を検知可能な検出部５７・５９が配設されている。また、ラック部６２の下部には、下側に突出する被検出部６２ｂが形成されており、ラック部６２が所定の位置まで移動した際に検出部５８によりその位置を検出可能とされている（図９（ｂ）を参照）。本実施形態においては、被検出部６２ｂが検出部５８に到達し、検出部５８が被検出部６２ｂを検知したことをきっかけとして装飾モータ６３が駆動され、可動装飾体７０の回転移動が開始される構成としている。
【００４０】
本実施形態においては上記の如く構成することにより、可動装飾装置４０を駆動させて装飾体７２を図４中の矢印Ａに示す如く円弧状の軌道を描きながら図柄表示装置１１の前方に延出させる構成としている。具体的には図１０（ａ）から（ｃ）に示す如く、スライダモータ５３を駆動させてスライダ６１を含む第一の駆動機構を右側方に、第二の原位置から第二の移動位置に向かって移動させる。そして、被検出部６２ｂが検出部５８に到達すると、装飾モータ６３を駆動させて可動装飾体７０を第一の原位置から第一の移動位置に回転移動させる。換言すれば、可動装飾体７０は第一の駆動機構及び第二の駆動機構により、それぞれ回転方向及び右側直進方向に変位されるのである。これにより、遊技者にとっては、装飾体７２が円弧状の軌道を描くようにして図柄表示装置１１の前方に移動したように見えるのである。
【００４１】
本実施形態においては、図１０（ａ）に示す如く、可動装飾体７０が第一の原位置にあり、第一の駆動機構が第二の原位置にある状態を「待機位置」と記載する。また、図１０（ｃ）に示す如く、可動装飾体７０が第一の移動位置にあり、第一の駆動機構が第二の移動位置にある状態を「作動位置」と記載する。換言すれば、可動装飾体７０が第一の原位置にある場合は、可動装飾体７０は「待機位置側」に位置し、可動装飾体７０が第一の移動位置にある場合は、可動装飾体７０は「作動位置側」に位置する。同じく、第一の駆動機構が第二の原位置にある場合は、可動装飾体７０は「待機位置側」に位置し、第一の駆動機構が第二の移動位置にある場合は、可動装飾体７０は「作動位置側」に位置する。このように、可動装飾装置４０においては、第一の駆動機構と第二の駆動機構との協働で可動装飾体７０を待機位置と作動位置の間で変位させるのである。
【００４２】
上記の如く、本実施形態においては、ベース部材５１の左上部に延出された支持部８１からは当接部８２が前方に突出して形成される。そして、第二の駆動機構により第一の駆動機構が右側直進方向における第二の原位置から第二の移動位置に向けて変位する際に回動体６５が始動位置に維持されたと仮定した場合の突起部６５ａの移動経路上には、突起部６５ａと当接可能に当接部８２が設けられる。換言すれば、当接部８２は、可動装飾体７０が第一の原位置に位置する状態において、スライダ６１がベース部材５１で移動する際の突起部６５ａの軌道上に配設されている。つまり、当接部８２は、可動装飾体７０がスライダ６１において第一の原位置の状態のままで、スライダ６１が右側方に移動した場合、突起部６５ａの描く軌道の上に位置するように配設されているのである。
【００４３】
上記の如く、本実施形態に係る遊技機は、可動装飾体７０と、可動装飾体７０を回転方向に変位させる第一の駆動機構（スライダ６１、装飾モータ６３、第一のギヤ６４、回動体６５、及び、搖動部材６６）と、第一の駆動機構を直進方向に変位させる第二の駆動機構（ベース部材５１、スライダモータ５３、第二のギヤ５４、第三のギヤ５５、ピニオンギヤ５６、及び、ラック部６２（ラックギヤ６２ａ））と、を備え、第一の駆動機構と第二の駆動機構との協働で可動装飾体７０を待機位置と作動位置の間で変位させる。そして、第一の駆動機構は、装飾モータ６３によって駆動される回動体６５を有し、回動体６５が始動位置から回動することで可動装飾体７０を待機位置側から作動位置側に向けて変位させるように構成される。また、回動体６５には突起部６５ａが設けられ、第二の駆動機構により第一の駆動機構が変位して可動装飾体７０が待機位置側から作動位置側に向けて変位する際に、回動体６５が始動位置に維持されたと仮定した場合の突起部６５ａの移動経路上には、突起部６５ａと当接可能に当接部８２が設けられる。そして、当接部８２は、装飾モータ６３からの動力に基づいて回動体６５が始動位置から回動しない場合に突起部６５ａに当接して回動体６５を待機位置側から作動位置側に向けて（可動装飾体７０が待機位置から作動位置にむけて回動する方向に）回動させるのである。
【００４４】
本実施形態に係る遊技機においては、上記の如く構成することにより、可動装飾装置４０において、可動装飾体７０が第一の原位置から第一の移動位置への回転移動を行わずにスライダ６１のみが右側方に移動することを防止できる。例えば、検出部５８又は装飾モータ６３に不具合が生じた場合、スライダモータ５３の駆動によりスライダ６１のみが右側方に移動しても装飾モータ６３は駆動しない。この場合、回動体６５は回動しないため、可動装飾体７０は第一の原位置に位置する状態を維持し、突起部６５ａもスライダ６１から突出する位置から変位しない。そして、スライダ６１が右側方に変位すると、図１２（ａ）及び（ｂ）に示す如く、突起部６５ａは当接部８２に当接する。さらに、スライダ６１及び可動装飾体７０が右側方へ移動することにより、回動体６５は突起部６５ａと当接している当接部８２によって強制的に回動され、これにより可動装飾体７０も図１３（ａ）及び（ｂ）に示す如く第一の原位置から回転移動により変位するのである。即ち、可動装飾体７０は突起部６５ａが当接部８２に当接することにより、図１３（ａ）中の矢印Ｂに示す如く上方に跳ね上げられるのである。即ち、当接部８２は、装飾モータ６３からの動力に基づいて回動体６５が回動しない場合に突起部６５ａに当接して回動体６５を回動させる。そして、図１３（ａ）に示す如く跳ね上げられた可動装飾体７０は、基端部に設けられた弾性部材の弾性力により、そのまま上方にむかって回動する。このように、本実施形態に係る遊技機によれば、可動装飾体７０が回転移動を行わずにスライダ６１のみが右側方に移動すること（可動装飾体７０が回動方向に変位すべき場合に回動しないこと）を防止できるのである。また、上記の如く可動装飾体７０が第一の駆動機構によって変位されない場合であっても、予定通り（第一の駆動機構が駆動した場合と同様に）可動装飾体７０を上方に跳ね上げる動きをさせることができるため、可動演出上の見栄えが悪くなることを防止できる。
【００４５】
本実施形態に係る可動装飾装置４０においては、上記の如く構成することにより、検出部５８又は装飾モータ６３に不具合が生じた場合でも、可動装飾体７０が他の部材と衝突することを防止できる。具体的に、図１４に示す可動装飾装置１４０を用いて説明する。可動装飾装置１４０は、本実施形態に係る可動装飾装置４０とほぼ同一で、回動体６５における突起部、及び、ベース部材５１における当接部がない構成を有する。
【００４６】
図１３に示す如く、可動装飾装置１４０において検出部５８又は装飾モータ６３に不具合が生じた場合、スライダモータ５３の駆動によりスライダ６１のみが右側方に移動しても装飾モータ６３は駆動しない。この場合、回動体６５は回動しないため、可動装飾体７０は第一の原位置に位置する状態を維持する。そして、可動装飾装置１４０は突起部及び当接部を備えないため、スライダ６１がさらに右側方に変位し、図１４中の領域αに示す如く、可動装飾体７０の装飾体７２にベース部材５１よりも右側方に飛び出す。これにより、ベース部材５１よりも右側方に配設されている他の部材と衝突する可能性がある。
【００４７】
上記の如く、本実施形態に係る可動装飾装置４０においては、検出部５８又は装飾モータ６３に不具合が生じた場合でも、可動装飾装置１４０と異なり、可動装飾体７０が他の部材と衝突することを防止できる。本実施形態においては図３及び図４に示す如く、可動装飾装置４０の右側方には、大入賞装置１４の背後の部材（遊技球の通路等）が配設されている。即ち、可動装飾体７０の装飾体７２が図１４の如くベース部材５１から右側方に飛び出すことを防止することにより、装飾体７２が大入賞装置１４の背後の部材に衝突することを防止できるのである。
【００４８】
なお、本実施形態はパチンコ遊技機について説明したが、本発明はパチスロ遊技機等の他の遊技機に適用することも可能である。
また、本実施形態において当接部８２はベース部材５１に配設される構成としているが、当接部はベース部材５１以外の部材に設ける構成とすることも可能である。
また、本実施形態においてスライダ６１はベース部材５１に形成されたスライダ孔５２ａ・５２ｂに沿って左右方向にスライド移動する構成としているが、スライダ６１（移動部材）の移動方向は上下方向でも良く、また移動形態はスライドに限定されるものではない。
また、回動体６５と搖動部材６６及び可動装飾体７０とは、他の部材（例えば他のギヤ等）を介して間接的に連結される構成とすることも可能である。
また、本実施形態において、可動装飾体７０は回動軸６６ａを中心として、搖動部材６６とともに回転移動するように構成されるが、回動体６５の回動により移動する構成であれば、回転移動以外の直線的な移動等をするように構成することも可能である。
また、回動体６５にはギヤ以外で回動する構成、例えばベルトが巻回されたプーリ等により構成することも可能である。
また、本実施形態においては可動装飾体７０の右側方への直進移動と回転移動とが同時に行われる構成としたが、可動装飾体７０が回転移動した後に右側方への移動を行う構成とすることも可能である。この場合、何らかの理由で可動装飾体７０が回転移動しないまま直進移動した場合に、本発明は有効となる。
また、本実施形態においては回動体６５の外周端部に突起部６５ａが半径方向外側に突出して設けられる構成としたが、突起部は回動体６５の表面又は裏面に前後方向に突出して設ける構成とすることも可能である。
また、本実施形態において、正常状態（装飾モータ６３が駆動する場合）は突起部６５ａと当接部８２とは当接しないように構成されているが、可動装飾体７０の移動に悪影響を及ぼさない場合は、突起部６５ａと当接部８２とが当接する構成としても差し支えない。
【符号の説明】
【００４９】
５１    ベース部材
６１    スライダ
６３    装飾用モータ
６５    回動体
６６    搖動部材
６５ａ  突起部
７０    可動装飾体
８２    当接部（作用体）
【図１】
2015221184.tif 000003
【図２】
2015221184.tif 000004
【図３】
2015221184.tif 000005
【図４】
2015221184.tif 000006
【図５】
2015221184.tif 000007
【図６】
2015221184.tif 000008
【図７】
2015221184.tif 000009
【図８】
2015221184.tif 000010
【図９】
2015221184.tif 000011
【図１０】
2015221184.tif 000012
【図１１】
2015221184.tif 000013
【図１２】
2015221184.tif 000014
【図１３】
2015221184.tif 000015
【図１４】
2015221184.tif 000016